(57)【要約】  【課題】  光ディスクの記録面に傷や汚れがあった場合に、ユーザは傷や汚れの箇所を知ることができる機能を有する光ディスク装置を提供する。  【解決手段】  再生中にエラーが発生すると、光ディスク上の同じアドレスでのエラー回数をカウントして、該エラー回数が所定回数以上であると判定されたときに、エラーが所定回数以上発生したアドレスを示すアドレス情報をメモリに保存する。次に不揮発性メモリから半径位置変換式を読み出すと共に、メモリからアドレス情報を読み出し、該アドレス情報が示すアドレスを前記半径位置変換式に代入してエラー発生箇所の半径位置を算出する。この後、前記算出されたエラー発生箇所の半径位置の情報をメモリに保存する。再生終了後、メモリから半径位置の情報を読み出して、ディスプレイ装置に半径位置を文字による説明文の表示、または／および半径位置を光ディスクの絵により表示を行って告知する。【選択図】      図４
2007080349.tif 000002
【特許請求の範囲】
【請求項１】
光ディスクに記録された情報を再生、あるいは光ディスクに対して情報の記録／再生を
行う光ディスク装置において、
光ディスクに対する情報の再生中にエラーが発生すると、同じアドレスでのエラー回数
をカウントして該エラー回数が所定回数以上であるか否かを判定するエラー回数判定手段
と、
該エラー回数が所定回数以上であると判定されたときに、エラーが所定回数以上発生し
たアドレスを示すアドレス情報をメモリに保存するアドレス情報保存手段と、
光ディスクに関するアドレスとセクタ周波数と線速度とトラックピッチと記録内周半径
との関係からエラー発生箇所の半径位置を算出する半径位置変換式が予め記憶された不揮
発性メモリから半径位置変換式を読み出すと共に、前記メモリからアドレス情報を読み出
し、該アドレス情報が示すアドレスを前記半径位置変換式に代入してエラー発生箇所の半
径位置を算出するエラー発生箇所半径位置算出手段と、
前記算出されたエラー発生箇所の半径位置の情報を前記メモリに保存する半径位置情報
保存手段と、
再生の終了後、前記メモリから半径位置の情報を読み出してディスプレイ装置の画面上
で、半径位置を文字による説明文により表示、または／および半径位置を光ディスクの絵
により表示を行って告知する半径位置告知手段とを、有するシステムコントローラを備え
たことを特徴とする光ディスク装置。
【請求項２】
光ディスクに記録された情報を再生、あるいは光ディスクに対して情報の記録／再生を
行う光ディスク装置において、
光ディスクに対する情報の再生中に発生した同じアドレスでのエラー回数が所定回数以
上であったときに、この所定回数以上エラー発生したアドレスからエラー発生箇所の半径
位置を算出し、再生の終了後、前記算出した半径位置に傷や汚れがある可能性が高い旨を
告知するシステムコントローラを備えたことを特徴とする光ディスク装置。
【請求項３】
所定回数以上エラー発生したアドレスからエラー発生箇所の半径位置の算出は、光ディ
スクに関するアドレスとセクタ周波数と線速度とトラックピッチと記録内周半径との関係
からエラー発生箇所の半径位置を算出することができる半径位置変換式によって行うこと
を特徴とする請求項２に記載の光ディスク装置。
【請求項４】
前記算出した半径位置に傷や汚れがある可能性が高い旨を告知する手段としては、ディ
スプレイ装置の画面上で、前記半径位置を文字による説明文により表示、または／および
半径位置を光ディスクの絵により表示を行って告知することを特徴とする請求項２に記載
の光ディスク装置。
【請求項５】
前記システムコントローラは、光ディスクに対する情報の再生中にエラーが発生すると
、同じアドレスでのエラー回数をカウントして該エラー回数が所定回数以上であるか否か
を判定するエラー回数判定手段と、該エラー回数が所定回数以上であると判定されたとき
に、エラーが所定回数以上発生したアドレスを示すアドレス情報をメモリに保存するアド
レス情報保存手段と、光ディスクに関するアドレスとセクタ周波数と線速度とトラックピ
ッチと記録内周半径との関係からエラー発生箇所の半径位置を算出する半径位置変換式が
予め記憶された不揮発性メモリから半径位置変換式を読み出すと共に、前記メモリからア
ドレス情報を読み出し、該アドレス情報が示すアドレスを前記半径位置変換式に代入して
エラー発生箇所の半径位置を算出するエラー発生箇所半径位置算出手段と、前記算出され
たエラー発生箇所の半径位置の情報を前記メモリに保存する半径位置情報保存手段と、再
生の終了後、前記メモリから半径位置の情報を読み出してディスプレイ装置の画面上で、
半径位置を文字による説明文により表示、または／および半径位置を光ディスクの絵によ
り表示を行って告知する半径位置告知手段とを有することを特徴とする請求項２に記載の
光ディスク装置。
【発明の詳細な説明】
【技術分野】
【０００１】
本発明は、光ディスクに記録された情報を再生、あるいは光ディスクに対して情報の記
録／再生を行う光ディスク装置に関し、特に、光ディスクの再生時に光ディスクに傷や汚
れがあった場合に、傷や汚れの位置を知らせることが可能な光ディスク装置に関する。
【背景技術】
【０００２】
近年、映画などのような大量の映像音声データを記録することが可能な光ディスクであ
るＤＶＤ（デジタル・バーサタイル・ディスク）が普及してきている。このような光ディ
スクの情報は、ＤＶＤプレイヤやＤＶＤレコーダと言う機種名で知られている光ディスク
装置で再生することができる。光ディスク装置は、光ディスクの記録面に対して光ピック
アップからのレーザ光を照射し、光ディスクの記録面からの反射光を非接触で読み取って
、所定のデータ処理を行って映像や音声を再生するようになっている。このような光ディ
スクは、非接触で記録データが再生されるので、記録面が殆ど劣化することなく、耐久性
に優れていると言われている。
【０００３】
しかし、光ディスクに対する扱いが乱暴であると、光ディスクの記録面に傷や汚れが付
いてしまい、光ディスク装置は、光ディスクの記録データを読み取ることができなくなっ
て、映像や音声などを再生することができなくなる場合がある。光ディスク装置は、光デ
ィスクの記録面に少しの傷や汚れが付いていても、エラー訂正機能によって読み出しデー
タを補正して、映像や音声などを再生できるようにしている。
【特許文献１】特開２００３−３３１５７１号公報
【特許文献２】特開２００１−３５１３１３号公報
【発明の開示】
【発明が解決しようとする課題】
【０００４】
ところが、光ディスクの情報を再生している時に、特定のディスク位置でトラッキング
外れ、フォーカス外れ、エラー訂正機能の訂正不能、などのエラーが多発した場合、その
ディスク位置（アドレス）には、傷や汚れがある可能性が高く、その傷や汚れがひどくな
ると、光ディスク装置では映像や音声を再生できなくなる。このような状態を見たユーザ
は、光ディスクの記録面の傷や汚れがどの位置にあるかを知って、傷の箇所は、この傷の
箇所を飛ばして再生したり、汚れの箇所は、この汚れの箇所をクリーナで拭き取ったりし
たい場合があるが、従来の光ディスク装置では、光ディスクの記録面の傷や汚れの箇所を
知る機能を備えていないので、ユーザは、光ディスクの記録面に傷や汚れがあった場合に
、傷や汚れの箇所を知ることができないと言う課題があった。
【０００５】
なお、特許文献１の従来技術は、光ディスクの劣化状態や記録面の汚れの状態が光ディ
スクに記録された画像データ（映像データ）や音声データにどのように影響するかを確認
することを可能にしているが、光ディスクの記録面に傷や汚れがあった場合に、ユーザは
傷や汚れの箇所を知ることができない。
【０００６】
また、特許文献２の従来技術は、歪率が急増する時点までの測定時間に基づきメモリを
参照して傷などのサイズを求め、これを表示部に表示されるようにしているが、この従来
技術も、光ディスクの記録面に傷や汚れがあった場合に、ユーザは傷や汚れの箇所を知る
ことができない。
【０００７】
本発明は、上記のような課題を解決するためになされたもので、光ディスクの記録面に
傷や汚れがあった場合に、ユーザは傷や汚れの箇所を知ることができる機能を有する光デ
ィスク装置を提供することを目的とする。
【課題を解決するための手段】
【０００８】
上記目的を達成するために、請求項１の発明は、光ディスクに対する情報の再生中にエ
ラーが発生すると、同じアドレスでのエラー回数をカウントして該エラー回数が所定回数
以上であるか否かを判定するエラー回数判定手段と、該エラー回数が所定回数以上である
と判定されたときに、エラーが所定回数以上発生したアドレスを示すアドレス情報をメモ
リに保存するアドレス情報保存手段と、光ディスクに関するアドレスとセクタ周波数と線
速度とトラックピッチと記録内周半径との関係からエラー発生箇所の半径位置を算出する
半径位置変換式が予め記憶された不揮発性メモリから半径位置変換式を読み出すと共に前
記メモリからアドレス情報を読み出し、該アドレス情報が示すアドレスを前記半径位置変
換式に代入してエラー発生箇所の半径位置を算出するエラー発生箇所半径位置算出手段と
、前記算出されたエラー発生箇所の半径位置の情報を前記メモリに保存する半径位置情報
保存手段と、再生の終了後、前記メモリから半径位置の情報を読み出してディスプレイ装
置の画面上で、半径位置を文字による説明文により表示、または／および半径位置を光デ
ィスクの絵により表示を行って告知する半径位置告知手段とを有するシステムコントロー
ラを備えたことを特徴とする光ディスク装置を提供する。
【０００９】
この構成において、再生中にエラーが発生すると、エラー回数判定手段は、光ディスク
上の同じアドレスでのエラー回数をカウントして、該エラー回数が所定回数以上であるか
否かを判定する。該エラー回数が所定回数以上であると判定されたときに、アドレス情報
保存手段は、エラーが所定回数以上発生したアドレスを示すアドレス情報をメモリに保存
する。次に、半径位置情報保存手段は、不揮発性メモリから半径位置変換式を読み出すと
共に、メモリからアドレス情報を読み出し、該アドレス情報が示すアドレスを前記半径位
置変換式に代入してエラー発生箇所の半径位置を算出する。この後、半径位置情報保存手
段は、前記算出されたエラー発生箇所の半径位置の情報をメモリに保存する。再生終了後
、半径位置告知手段は、メモリから半径位置の情報を読み出して、ディスプレイ装置に半
径位置を文字による説明文の表示、または／および半径位置を光ディスクの絵により表示
を行って告知する。
【００１０】
この構成によれば、光ディスクの記録面に傷や汚れがあった場合に、ユーザは傷や汚れ
の箇所を知ることができ、これにより、傷の箇所を飛ばして再生したり、汚れの箇所をク
リーナで拭き取ったりして、再生の不具合を減らすことができる。
【００１１】
請求項２の発明は、光ディスクに対する情報の再生中に発生した同じアドレスでのエラ
ー回数が所定回数以上であったときに、この所定回数以上エラー発生したアドレスからエ
ラー発生箇所の半径位置を算出し、再生の終了後、前記算出した半径位置に傷や汚れがあ
る可能性が高い旨を告知するシステムコントローラを備えたことを特徴とする光ディスク
装置を提供する。
【００１２】
この構成において、光ディスクに対する情報の再生中に発生した同じアドレスでのエラ
ー回数が所定回数以上であったときに、この所定回数以上エラー発生したアドレスに基づ
いてエラー発生箇所の半径位置が算出され、再生の終了後、前記算出した半径位置は、傷
や汚れがある可能性が高い箇所として告知される。
【００１３】
この構成によれば、光ディスクの記録面に傷や汚れがあった場合に、ユーザは傷や汚れ
の箇所を知ることができ、これにより、傷の箇所を飛ばして再生したり、汚れの箇所をク
リーナで拭き取ったりして、再生の不具合を減らすことができる。
【００１４】
請求項３の発明では、請求項２の発明において、所定回数以上エラー発生したアドレス
からエラー発生箇所の半径位置の算出は、光ディスクに関するアドレスとセクタ周波数と
線速度とトラックピッチと記録内周半径との関係からエラー発生箇所の半径位置を算出す
ることができる半径位置変換式によって行うので、エラー発生箇所の半径位置を正確に算
出することができる。
【００１５】
請求項４の発明では、請求項２の発明において、前記算出した半径位置に傷や汚れがあ
る可能性が高い旨を告知する手段としては、ディスプレイ装置の画面上で、前記半径位置
を文字による説明文により表示、または／および半径位置を光ディスクの絵により表示を
行って告知するので、光ディスク上の傷や汚れのある箇所を容易に知ることができる。
【００１６】
請求項５の発明では、請求項２の発明において、前記システムコントローラは、光ディ
スクに対する情報の再生中にエラーが発生すると、同じアドレスでのエラー回数をカウン
トして該エラー回数が所定回数以上であるか否かを判定するエラー回数判定手段と、該エ
ラー回数が所定回数以上であると判定されたときに、エラーが所定回数以上発生したアド
レスを示すアドレス情報をメモリに保存するアドレス情報保存手段と、光ディスクに関す
るアドレスとセクタ周波数と線速度とトラックピッチと記録内周半径との関係からエラー
発生箇所の半径位置を算出する半径位置変換式が予め記憶された不揮発性メモリから半径
位置変換式を読み出すと共に前記メモリからアドレス情報を読み出し、該アドレス情報が
示すアドレスを前記半径位置変換式に代入してエラー発生箇所の半径位置を算出するエラ
ー発生箇所半径位置算出手段と、前記算出されたエラー発生箇所の半径位置の情報を前記
メモリに保存する半径位置情報保存手段と、再生の終了後、前記メモリから半径位置の情
報を読み出してディスプレイ装置の画面上で、半径位置を文字による説明文により表示ま
たは／および半径位置を光ディスクの絵により表示を行って告知する半径位置告知手段と
を有する。
【００１７】
したがって、前記システムコントローラは、エラー回数判定処理、アドレス情報保存処
理、エラー発生箇所半径位置算出処理、半径位置情報保存処理、および半径位置告知処理
を実現でき、これにより、光ディスクの記録面に傷や汚れがあった場合に、傷や汚れの箇
所をユーザに知らせることが可能になる。
【発明の効果】
【００１８】
以上のように本発明によれば、光ディスクに対する情報の再生中にエラーが発生すると
、同じアドレスでのエラー回数をカウントして該エラー回数が所定回数以上であるか否か
を判定するエラー回数判定手段と、該エラー回数が所定回数以上であると判定されたとき
に、エラーが所定回数以上発生したアドレスを示すアドレス情報をメモリに保存するアド
レス情報保存手段と、光ディスクに関するアドレスとセクタ周波数と線速度とトラックピ
ッチと記録内周半径との関係からエラー発生箇所の半径位置を算出する半径位置変換式が
予め記憶された不揮発性メモリから半径位置変換式を読み出すと共に前記メモリからアド
レス情報を読み出し、該アドレス情報が示すアドレスを前記半径位置変換式に代入してエ
ラー発生箇所の半径位置を算出するエラー発生箇所半径位置算出手段と、前記算出された
エラー発生箇所の半径位置の情報を前記メモリに保存する半径位置情報保存手段と、再生
の終了後、前記メモリから半径位置の情報を読み出してディスプレイ装置の画面上で、半
径位置を文字による説明文により表示または／および半径位置を光ディスクの絵により表
示を行って告知する半径位置告知手段とを有するシステムコントローラを備えたので、光
ディスクの記録面に傷や汚れがあった場合に、ユーザは傷や汚れの箇所を知ることができ
、これにより、傷の箇所を飛ばして再生したり、汚れの箇所をクリーナで拭き取ったりし
て、再生の不具合を減らすことができる。
【００１９】
また、本発明によれば、光ディスクに対する情報の再生中に発生した同じアドレスでの
エラー回数が所定回数以上であったときに、この所定回数以上エラー発生したアドレスか
らエラー発生箇所の半径位置を算出し、再生の終了後、前記算出した半径位置に傷や汚れ
がある可能性が高い旨を告知するシステムコントローラを備えたので、光ディスクの記録
面に傷や汚れがあった場合に、ユーザは傷や汚れの箇所を知ることができ、これにより、
傷の箇所を飛ばして再生したり、汚れの箇所をクリーナで拭き取ったりして、再生の不具
合を減らすことができる。
【発明を実施するための最良の形態】
【００２０】
以下、添付図面を参照しつつ、本発明の実施の形態について説明する。図１は本発明の
一実施形態に係る光ディスク装置の構成を示すブロック図である。ここでは、ＤＶＤレコ
ーダなどの光ディスク装置の構成について説明するが、ＤＶＤプレイヤなどの光ディスク
装置についても、同じように、光ディスクの記録面に傷や汚れがあった場合に、傷や汚れ
の箇所を告知するための処理を適用できることは言うまでもない。
【００２１】
この光ディスク装置は、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じて、モータ駆
動回路３４を介してスピンドルモータ５、およびスレッド３を駆動すると共に、光ピック
アップ２に内蔵された対物レンズ（図示せず）を動かすことによりレーザ光の焦点位置を
光ディスク１の記録面に対して垂直方向および水平方向に移動させる制御を行うサーボ制
御部４とを備えている。
【００２２】
また、この光ディスク装置は、光ディスク１の情報の再生時に光ピックアップ２からの
読取信号であるＲＦ信号を増幅するＲＦアンプ６と、このＲＦアンプ６から出力されたＲ
Ｆ信号をデジタルデータに変換した後に光ディスク１のデータフォーマットに応じた信号
復調処理とＥＣＣエラー訂正処理を行って生成したデータをＲＡＭ７に格納するデジタル
信号処理部８と、システムコントローラ２２の指示に応じてデジタル信号処理部８から出
力されたデータストリームの中からオーディオデータとサブピクチャデータとビデオデー
タとを分離するストリーム分離部９とを備えている。
【００２３】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２４】
また、この光ディスク装置は、システムコントローラ２２の指示に応じてビデオデコー
ダ１５から出力されたデータとサブピクチャデコーダ１３から出力されたデータとを合成
したりするビデオプロセッサ１７と、傷や汚れのある光ディスクの半径位置を文字による
説明文により表示、または／および半径位置を光ディスクの絵により表示を行って告知す
るためのデータをＯＳＤ（オン・スクリーン・ディスプレイ）処理するＯＳＤ回路３５と
、ビデオプロセッサ１７から出力された合成データや、ＯＳＤ回路３５から出力されたデ
ータなどを表示用のビデオ信号に変換して画像をディスプレイ装置２０に表示させるビデ
オエンコーダ１８と、オーディオデコーダ１１から出力されたデータをアナログのオーデ
ィオ信号に変換して図示しない音声回路を介して例えばスピーカ１９に供給するＤ／Ａ変
換器１６とを備えている。
【００２５】
また、この光ディスク装置は、システムコントローラ２２に対して赤外線信号により、
再生指示を与えるための再生キー、記録指示を与えるための記録キー、再生停止や記録停
止を指示するための停止キー、および電源キーなどの各種操作キーを有するリモコン２１
と、装置全体を制御する前記システムコントローラ２２とを備えている。
【００２６】
また、この光ディスク装置は、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４と、このＣＰＵ２４の処理に必要なデータを一時的に格納するＲＡＭ２７
とを備えている。
【００２７】
また、この光ディスク装置は、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００２８】
システムコントローラ２２は、本実施形態の特徴として、光ディスク１に対する情報の
再生中にエラーが発生すると、同じアドレスでのエラー回数をカウントして該エラー回数
が所定回数以上であるか否かを判定するエラー回数判定手段２２１と、該エラー回数が所
定回数以上であると判定されたときに、エラーが所定回数以上発生したアドレスを示すア
ドレス情報をＲＡＭ２７に保存するアドレス情報保存手段２２２と、光ディスク１に関す
るアドレスとセクタ周波数と線速度とトラックピッチと記録内周半径との関係からエラー
発生箇所の半径位置を算出する半径位置変換式が予め記憶されたフラッシュＲＯＭ２３か
ら半径位置変換式を読み出すと共にＲＡＭ２７からアドレス情報を読み出し、該アドレス
情報が示すアドレスを前記半径位置変換式に代入してエラー発生箇所の半径位置を算出す
るエラー発生箇所半径位置算出手段２２３と、前記算出されたエラー発生箇所の半径位置
の情報をＲＡＭ２７に保存する半径位置情報保存手段２２４と、再生の終了後、ＲＡＭ２
７から半径位置の情報を読み出してディスプレイ装置２０の画面上で、半径位置を文字に
よる説明文により表示または／および半径位置を光ディスクの絵により表示を行って告知
する半径位置告知手段２２５とを有する。
【００２９】
前記エラー発生箇所半径位置算出手段２２３は、次の半径位置変換式により半径位置を
算出する。半径位置変換式は、Ｒ＝√[（Ｌ・Ｔ・Ｎ／Ｆ・π）＋ｒ2]と表される。この
式において、Ｒは光ディスク上のエラー発生箇所の半径位置、Ｌは光ディスクが回転して
いる時の線速度、Ｔは光ディスク上のトラックとトラック間のトラックピッチ、Ｎは光デ
ィスク上のリードインエリアとデータエリアとの境目のアドレスからの相対アドレス、Ｆ
は光ディスクが回転している時のセクタ周波数、πは円周率、ｒは光ディスクの中心から
リードインエリアとデータエリアとの境目のアドレスまでの記録内周半径を示す。光ディ
スクがＤＶＤの場合、リードインエリアとデータエリアとの境目のアドレスは３００００
ｈ、セクタ周波数は６７６.０８１７３ Ｈｚ、線速度Ｌは３.４９ ｍ／ｓ、トラックピッ
チＴは０.００００００７４ ｍ、記録内周半径ｒは０.０２４ ｍとなる。
【００３０】
図２は本実施形態においてディスプレイ装置の画面に表示された光ディスクの絵で傷や
汚れのある半径位置を示す表示画面の一例図である。図２において、ディスプレイ装置の
画面２０ａには、光ディスクの絵が表示され、破線で示す半径位置には傷や汚れがあるこ
とを警告している。
【００３１】
図３は本実施形態において光ディスク上の傷や汚れがある半径位置を文字による説明文
でディスプレイ装置の画面に表示された状態を示す表示画面の一例図である。図３に示す
ように、ディスプレイ装置の画面２０ａには、「半径２ｃｍの辺りに傷や汚れがあります
。」と表示されている。
【００３２】
図４は本実施形態において光ディスクの再生時に光ディスクの記録面に傷や汚れがあっ
た場合に傷や汚れの位置を知らせるための処理を示すフローチャートである。このフロー
チャートおよび図１〜図３を参照して光ディスクの再生時に光ディスクの記録面に傷や汚
れがあった場合に傷や汚れの位置を知らせるための処理について説明する。
【００３３】
先ず、光ディスク１が装填され（ステップＳ１）、光ディスク１が立ち上がった後、リ
モコン２１の再生キーが押下されると（ステップＳ２）、システムコントローラ２２は、
サーボ制御部４を制御してスピンドルモータ５および光ピックアップ２を駆動させ、光デ
ィスク１に対する再生動作を行う（ステップＳ３）。そして、システムコントローラ２２
は、ＲＦアンプ６からのＲＦ信号から得られたフォーカスエラー信号やトラッキングエラ
ー信号の状態をモニタして、フォーカスエラー信号やトラッキングエラー信号の乱れを検
知したり、デジタル信号処理部８のエラー訂正の状態の悪化を検知したりすることによっ
て、再生中の光ディスク１にエラーが発生したことを検出する（ステップＳ４）。
【００３４】
エラーが検出されると、システムコントローラ２２のエラー回数判定手段２２１は、前
記エラーの検出に伴って、光ディスク１上の同じアドレスでのエラー回数をカウントして
（ステップＳ５）、該エラー回数が所定回数以上（例えば５回以上）であるか否かを判定
する（ステップＳ６）。該エラー回数が所定回数以上であると判定されたときに、システ
ムコントローラ２２のアドレス情報保存手段２２２は、エラーが所定回数以上発生したア
ドレスを示すアドレス情報をＲＡＭ２７に保存する（ステップＳ７）。
【００３５】
次に、システムコントローラ２２の半径位置情報保存手段２２４は、フラッシュＲＯＭ
２３から半径位置変換式を読み出すと共に（ステップＳ８）、ＲＡＭ２７からアドレス情
報を読み出し（ステップＳ９）、該アドレス情報が示すアドレスを前記半径位置変換式に
代入してエラー発生箇所の半径位置を算出する（ステップＳ１０）。この後、システムコ
ントローラ２２の半径位置情報保存手段２２４は、前記算出されたエラー発生箇所の半径
位置の情報をＲＡＭ２７に保存する（ステップＳ１１）。
【００３６】
再生終了後（ステップＳ１２）、システムコントローラ２２の半径位置告知手段２２５
は、ＲＡＭ２７から半径位置の情報を読み出して（ステップＳ１３）、ディスプレイ装置
２０の画面上で、半径位置を文字による説明文により表示を行うためのデータ、または／
および半径位置を光ディスク１の絵により表示を行うためのデータをＯＳＤ回路３５でＯ
ＳＤ処理することにより、ディスプレイ装置２０に半径位置を文字による説明文の表示（
図３参照）、または／および半径位置を光ディスク１の絵により表示（図２参照）を行っ
て告知する（ステップＳ１４）。
【００３７】
以上説明したように本実施形態によれば、光ディスクに対する情報の再生中に発生した
同じアドレスでのエラー回数が所定回数以上であったときに、この所定回数以上エラー発
生したアドレスからエラー発生箇所の半径位置を算出し、再生の終了後、前記算出した半
径位置に傷や汚れがある可能性が高い旨を告知するようにしたので、光ディスクの記録面
に傷や汚れがあった場合に、ユーザは傷や汚れの箇所を知ることができ、これにより、傷
の箇所を飛ばして再生したり、汚れの箇所をクリーナで拭き取ったりして、再生の不具合
を減らすことができる。
【図面の簡単な説明】
【００３８】
【図１】本発明の一実施形態に係る光ディスク装置の構成を示すブロック図である。
【図２】前記実施形態においてディスプレイ装置の画面に表示された光ディスクの絵で傷や汚れのある半径位置を示す表示画面の一例図である。
【図３】前記実施形態において光ディスク上の傷や汚れがある半径位置を文字による説明文でディスプレイ装置の画面に表示された状態を示す表示画面の一例図である。
【図４】前記実施形態において光ディスクの再生時に光ディスクの記録面に傷や汚れがあった場合に傷や汚れの位置を知らせるための処理を示すフローチャートである。
【符号の説明】
【００３９】
１    光ディスク
２０    ディスプレイ装置
２２    システムコントローラ
２３    フラッシュＲＯＭ（不揮発性メモリ）
２７    ＲＡＭ（メモリ）
２２１    エラー回数判定手段
２２２    アドレス情報保存手段
２２３    エラー発生箇所半径位置算出手段
２２４    半径位置情報保持手段
２２５    半径位置告知手段
【図１】
2007080349.tif 000003
【図２】
2007080349.tif 000004
【図３】
2007080349.tif 000005
【図４】
2007080349.tif 000006